(57)【要約】【課題】本発明の目的は、中空細管に電気泳動粒子分散液を充填することなく、また、たくさんの管を並べることなく、電子表示素子用帯電泳動粒子分散液内蔵細密シートを簡便に作成する方法を提供するものである。【解決手段】可塑性隔壁材料と帯電泳動粒子分散液とを含んでなる帯電泳動粒子内蔵管を、引っ張ることを特徴とする帯電泳動粒子内蔵管の作成方法。引っ張り後の帯電粒子内蔵細密シートの断面の面積が、引っ張り前の帯電粒子内蔵シートの断面の面積の２分の１以下である上記帯電泳動粒子内蔵細密シートの作成方法。さらに、可塑性隔壁材料の可塑性を低下させる処理を含む上記帯電泳動粒子内蔵細密シートの作成方法。【選択図】図１
2004177901.tif 000002
【特許請求の範囲】
【請求項１】
可塑性隔壁材料と帯電泳動粒子分散液とを含んでなる帯電泳動粒子内蔵シートを、引っ張ることを特徴とする帯電泳動粒子内蔵細密シートの作成方法。
【請求項２】
引っ張り後の帯電粒子内蔵細密シートの断面の面積が、引っ張り前の帯電粒子内蔵シートの断面の面積の２分の１以下である請求項１記載の帯電泳動粒子内蔵細密シートの作成方法。
【請求項３】
さらに、可塑性隔壁材料の可塑性を低下させる処理を含む請求項１または２記載の帯電泳動粒子内蔵細密シートの作成方法。
【請求項４】
隔壁原料液を供給する第１のノズルと、帯電泳動粒子分散液を供給する第２ノズルとを備え、
隔壁原料液と帯電泳動粒子分散液とは、それぞれ独立に隔壁原料液固化場へ供給され、
かつ、第１のノズルおよび第２のノズルは、
第１のノズルから供給される隔壁原料液が、第２のノズルから供給される帯電泳動粒子分散液を取り囲むように供給されるように配置され、
かつ、前記第１のノズルから吐出される隔壁原料液に取り囲まれる第２のノズルから吐出される帯電泳動粒子分散液が複数となるように、第２のノズルを複数有し、
隔壁原料液が、隔壁原料固化場で固化してシートとなることを特徴とする帯電泳動粒子分散液内蔵細密シートの作成装置により作成される請求項１〜３いずれか記載の帯電泳動粒子内蔵細密シートの作成方法。
【請求項５】
各々の第２のノズルが、第１のノズルの内部にある請求項４記載の帯電泳動粒子分散液内蔵細密シートの作成方法。
【請求項６】
全ての第２のノズルが、ただひとつの第１の細長い断面のノズルの内部にある請求項４または５記載の帯電泳動粒子分散液内蔵細密シートの作成方法。
【請求項７】
隔壁原料液が融解したポリマーを含み、隔壁原料液固化場が冷却による隔壁原料液の固化の場であることを特徴とする請求項１〜６いずれか記載の帯電泳動粒子分散液内蔵細密シートの作成方法。
【請求項８】
隔壁原料液が反応性の化合物を含み、隔壁原料液固化場が化学反応による隔壁原料液の固化の場であることを特徴とする請求項１〜７いずれか記載の帯電泳動粒子分散液内蔵細密シートの作成方法。
【請求項９】
隔壁原料液が溶剤に溶解したポリマーを含み、隔壁原料液固化場が溶剤揮散による隔壁原料液の固化の場であることを特徴とする請求項１〜８いずれか記載の帯電泳動粒子分散液内蔵細密シートの作成方法。
【請求項１０】
請求項１〜９いずれか記載の作成方法で作成された帯電泳動粒子分散液内蔵シートを２つ以上結合してなる帯電泳動粒子分散液内蔵細密シート。
【発明の詳細な説明】
【０００１】
【発明の属する技術分野】
本発明は、電圧を印加する事によって微細粒子の方向を制御することによって画像を表示するデジタル表示デバイスを構成するための電子表示素子用帯電泳動粒子分散液内蔵細密シートの作成方法に関する。
【０００２】
【従来の技術】
従来、帯電泳動粒子分散液を含む電気泳動型表示素子の作り方は、帯電泳動粒子と泳動用分散液を封入したマイクロカプセルを作製する工程、基板上に該マイクロカプセルを塗布して固定する工程を含む、マイクロカプセル利用を特徴とする第一の方法（例えば、特許文献１〜３参照）と
基板上に隔壁を形成する工程、隔壁によって区分けされた各セルに帯電泳動粒子と泳動用分散液を充填する工程、隔壁の上部を封止する工程を含む、隔壁利用を特徴とする第二の方法（例えば、特許文献４〜９参照）と、
帯電泳動粒子と泳動用分散液を封入した小胞を作成する工程、これを基板上に平面状に特定順序に配置して接合、固定する工程からなることを特徴とする第三の方法（例えば、特許文献１０参照）と、
管に帯電泳動粒子と泳動用分散液を封入する工程、これを平面状に平行に並べて接合、固定する工程からなることを特徴とする第四の方法（例えば、特許文献１１〜１９参照）、に大別することができた。
【０００３】
第一の方法は、異なった種類の色を表示できる帯電泳動粒子分散液を封入したマイクロカプセルを作成することは容易であるが、カラー表示を実現するための例えば三色分のマイクロカプセルを規則的に配置することは非常に困難であり、白黒表示のマイクロカプセルの上に別途カラーフィルターなどを併用しなければカラー表示が可能な電気泳動型表示素子を作成することはできない。
【０００４】
一方、第二の方法および第三の方法はセルまたは小胞ごとに異なる色を表示可能な帯電泳動粒子分散液を充填することができ、カラー表示を可能な構成を作成できるが、たとえば、書籍の見開きに匹敵する情報量を表示できる１６００×１２８０画素を三色に相当する３種類の帯電泳動粒子分散液を充填したセルまたは小胞各１個ずつから構成させると、合計６１４万４千個のセルにそれぞれ特定の帯電泳動粒子分散液を充填するかまたは合計６１４万４千個の小胞をそれぞれ特定の位置に配置しなければならない。このように、第二および第三の方法の工程は複雑で時間がかかり、電気泳動型表示素子を安価に作成することはできなかった。
【０００５】
第四の方法は帯電泳動粒子分散液を充填した管を平面状に並べて構成することによって、単色の電気泳動型表示素子を構成できるが、三色または四色に相当する３〜４種類の帯電泳動粒子分散液を充填した管を繰り返し平面状に並べることにより、カラー表示が可能な電気泳動型表示素子を作成することが可能である。しかし、前述の１６００×１２８０画素を三色で表示する素子を３種類の帯電泳動粒子分散液を充填した管並べて作成するためには、少なくとも３８４０本の管を整然と並べる工程が必要である。
【０００６】
【特許文献１】特開２００１−１１７１２３号公報
【特許文献２】特開２００２−１６２６５１号公報
【特許文献３】特開２００２−１６９１９０号公報
【特許文献４】特開２００１−３１８６３０号公報
【特許文献５】特開２００１−３１８６３１号公報
【特許文献６】特開２００１−３４３６７２号公報
【特許文献７】特開２００２−７２２５８号公報
【特許文献８】特開２００２−１２２８９１号公報
【特許文献９】特開２００２−２９２７３６号公報
【特許文献１０】特開２０００−３５７６９号公報
【特許文献１１】特開２０００−３３０１４２号公報
【特許文献１２】特開２０００−３３０４８８号公報
【特許文献１３】特開２０００−３５２９４４号公報
【特許文献１４】特開２０００−３５２９４５号公報
【特許文献１５】特開２００１−１２５１４８号公報
【特許文献１６】特開２００１−１２５１４９号公報
【特許文献１７】特開２００１−１２５１５０号公報
【特許文献１８】特開２００１−１２５５１３号公報
【特許文献１９】特開２００１−１２５５１４号公報
【０００７】
【発明が解決しようとする課題】
３８４０本の管を整然と並べるためには、管の太さ分ずつずらして数千回も管を並べる精密機械が必要で、また、その組みつけの工程には時間がかかった。
【０００８】
本発明の目的は、中空細管に電気泳動粒子分散液を充填することなく、また、たくさんの管を並べることなく、電子表示素子用帯電泳動粒子分散液内蔵細密シートを簡便に作成する方法を提供するものである。
【０００９】
【課題を解決するための手段】
本発明は、複数の管が並列に連結したシートの形成後に、引張りによる伸張と断面積の減少を行うことにより、帯電泳動粒子分散液内蔵細密シートを簡便に作成することを見出したものである。
【００１０】
すなわち、本発明は、可塑性隔壁材料と帯電泳動粒子分散液とを含んでなる帯電泳動粒子内蔵シートを、引っ張ることを特徴とする帯電泳動粒子内蔵細密シートの作成方法に関する。
【００１１】
また、本発明は、引っ張り後の帯電粒子内蔵細密シートの断面の面積が、引っ張り前の帯電粒子内蔵シートの断面の面積の２分の１以下である帯電泳動粒子内蔵細密シートの作成方法に関する。
【００１２】
また、本発明は、さらに、可塑性隔壁材料の可塑性を低下させる処理を含む帯電泳動粒子内蔵細密シートの作成方法に関する。
【００１３】
また、本発明は、隔壁原料液を供給する第１のノズルと、帯電泳動粒子分散液を供給する第２ノズルとを備え、
隔壁原料液と帯電泳動粒子分散液とは、それぞれ独立に隔壁原料液固化場へ供給され、
かつ、第１のノズルおよび第２のノズルは、
第１のノズルから供給される隔壁原料液が、第２のノズルから供給される帯電泳動粒子分散液を取り囲むように供給されるように配置され、
かつ、前記第１のノズルから吐出される隔壁原料液に取り囲まれる第２のノズルから吐出される帯電泳動粒子分散液が複数となるように、第２のノズルを複数有し、
隔壁原料液が、隔壁原料固化場で固化してシートとなることを特徴とする帯電泳動粒子分散液内蔵細密シートの作成装置により作成される帯電泳動粒子内蔵細密シートの作成方法に関する。
【００１４】
また、本発明は、各々の第２のノズルが、第１のノズルの内部にある帯電泳動粒子分散液内蔵細密シートの作成方法に関する。
【００１５】
また、本発明は、全ての第２のノズルが、ただひとつの第１の細長い断面のノズルの内部にある帯電泳動粒子分散液内蔵細密シートの作成方法に関する。
【００１６】
また、本発明は、隔壁原料液が融解したポリマーを含み、隔壁原料液固化場が冷却による隔壁原料液の固化の場であることを特徴とする帯電泳動粒子分散液内蔵細密シートの作成方法に関する。
【００１７】
また、本発明は、隔壁原料液が反応性の化合物を含み、隔壁原料液固化場が化学反応による隔壁原料液の固化の場であることを特徴とする帯電泳動粒子分散液内蔵細密シートの作成方法に関する。
【００１８】
また、本発明は、隔壁原料液が溶剤に溶解したポリマーを含み、隔壁原料液固化場が溶剤揮散による隔壁原料液の固化の場であることを特徴とする帯電泳動粒子分散液内蔵細密シートの作成方法に関する。
【００１９】
また、本発明は、上記作成方法で作成された帯電泳動粒子分散液内蔵シートを２つ以上結合してなる帯電泳動粒子分散液内蔵細密シートに関する。
【００２０】
【発明の実施の形態】
本発明は、可塑性隔壁材料と帯電泳動粒子分散液とを含んでなる帯電泳動粒子内蔵シートを、引っ張ることを特徴とする。
【００２１】
本発明における可塑性隔壁材料は、一般に可塑性樹脂と呼ばれるものを用いることができる。例えば、ポリエチレン、塩化ビニル、ポリアクリル酸エステルなどのビニル樹脂、ポリエチレンテレフタレートなどのポリエステル樹脂などが挙げられる。また、後述の隔壁原料液を固化させたもので、可塑性を保持しているものも好適に用いられる。
【００２２】
本発明において用いられる帯電泳動粒子分散液は、公知のものが使用できる。
【００２３】
本発明における帯電泳動粒子分散液内蔵シートは、従来の技術で記載したとおり、上記帯電泳動粒子分散液を充填させた管を平面状に並べて構成することによって得られる。また、後述の隔壁原料液と帯電泳動粒子分散液とを同時に供給させる方法により作成することも好適に用いられる。
【００２４】
本発明は、上記帯電泳動粒子分散液内蔵シートを引っ張ることにより、断面積及び帯電泳動粒子分散液を包含する内孔の径が減少するとともに当該内孔の間隔狭い、細密シートの作成を容易にする。特に、引っ張り後の帯電粒子内蔵シートの断面の面積が、引っ張り前の帯電粒子内蔵シートの断面の面積の２分の１以下になるように引っ張ることが好ましい。
【００２５】
本発明において、引っ張りは、可塑性を保持する帯電泳動粒子内蔵シートを引っ張り手段によって引っ張ることにより達成される。引っ張り手段としては、リールによる巻き取り、回転速度差のある複数個のリールによる方法など、公知の技術が挙げられる。
【００２６】
次に、隔壁原料液と帯電泳動粒子分散液とを同時に供給する方法により作成する方法について記載する。本発明において第１のノズルおよび複数の第２のノズルを用いることにより、シートの形成と、帯電泳動粒子分散液の充填とを同時に行うことを可能とする。
【００２７】
本発明に用いられる第１のノズルおよび第２の複数のノズルは、第１のノズルから供給される隔壁原料液が、各々の第２のノズルから供給される帯電泳動粒子分散液を取り囲むように供給されるように配置される。例えば、各々の第２のノズルの周囲を複数の第１のノズルが取り囲む配置であるとか、各々の第２のノズルが、隔壁原料液を吐出するひとつの第１のノズルの内部にある、いわゆる多重ノズル（この場合、第１のノズルが外側ノズルとなり、各第２のノズルが内側のノズルとなる。）形態となってもよい。さらに、必要に応じて、外側ノズルが多種ある多重ノズル、各々の内側ノズルが多種ある多重ノズル、また、これらを組み合わせた多重ノズルであってもよい。
【００２８】
第１のノズルおよび第２のノズルを有する装置は、図６〜９に示したような、管材にポンプやバルブを組み合わせることで得ることができる。このとき、原料液の粘度が低い場合はポンプを用いず、自然落下のみで原料液を供給してもよい。
【００２９】
第１のノズルおよび第２のノズルの形状は、円形、楕円形、多角形、不定形いずれであってもよい。複数の種類の第１のノズルが有る場合は、それぞれのノズルの形状が同じでなくともよい。また、それぞれの第２のノズルの形状は同じでなくともよいし、複数の種類の第２のノズルが有る場合は、それぞれの種類のノズルの形状も同じでなくともよい。
【００３０】
第２のノズルからは前記帯電泳動粒子液が供給されるが、第１のノズルからは、隔壁原料液を供給する。
隔壁原料液は、固化して細密シートの外側部分の、また、内蔵する帯電泳動粒子分散液が連続していない場合は、粒子液の小胞の隔壁の原料となる。
【００３１】
隔壁原料は、第１のノズルから供給後、隔壁原料固化場で固化する。固化のメカニズムとしては、冷却、化学反応、溶剤揮散などが挙げられる。
冷却による固化の場合は、隔壁原料液として、公知公用の光学的に透明な熱可塑性樹脂やこれらの共重合体を単独または混合して使用することができる。例えば、ポリメチルメタクリレートなどの透明アクリル系、ポリ塩化ビニルなどの透明ビニル系、ポリメチルペンテンなどの透明ポリオレフィン系、アセチルセルロースなどの透明ポリグリカン系、あるいはポリスチレンやポリカーボネートなどの例を挙げることができるがここに例示した特定のポリマーに限定されるものではない。
【００３２】
化学反応による固化の場合は、公知公用の光学的に透明な熱可塑性樹脂や熱硬化性樹脂の架橋反応、あるいは、それらの前駆体であるモノマーまたはオリゴマーが重合反応する場合が挙げられる。
【００３３】
架橋反応は、架橋剤による架橋反応あるいは、紫外線・電子線などのエネルギー線による架橋反応が挙げられる。反応に必要なすべての成分を含む混合液を第１のノズルから供給し、隔壁原料液固化場が、熱、エネルギー線などの反応促進手段を提供する場合と、あるいは、隔壁原料液に樹脂のモノマー、オリゴマー、前駆体、硬化剤、反応開始剤、触媒などの、固化反応に必要な成分のどれかひとつまたは複数の成分を欠いた組成の液を隔壁原料液ノズルから供給し、当該欠いた反応を完結させる成分を含む組成の液を隔壁原料固定場に存在させ、隔壁原料液固化場にて反応を完結させる場合がある
【００３４】
隔壁原料液として、例えば、メタクリル酸メチルエステル、メタクリル酸エチレングリコールモノエステルを主成分とする透明アクリル樹脂前駆体、
無水テレフタル酸とブチレンオキサイドを主成分とする透明ポリエステル前駆体、
ビスフェノールＡとエピクロルヒドリンを主成分とする透明エポキシ樹脂前駆体、
などの反応成型可能な樹脂の例を挙げることができるが、ここに例示した特定のポリマーに限定されるものではない。
【００３５】
溶剤揮散による固化の場合は、隔壁原料液として、例えば、ポリスチレン樹脂、ポリアクリル樹脂、ポリメタクリル樹脂、ポリビニルアルコール、ポリカーボネート等に代表される公知公用の透明な熱可塑性樹脂やこれらの共重合体を単独または混合し、溶剤に溶かして第１のノズルから供給し、隔壁原料液固化場にて溶剤を揮散させることによって固化させる。
【００３６】
この際に隔壁原料液固化場は加熱、減圧などの促進手段を提供する場合もあるが、ここに例示した特定のポリマーに限定されるものではない。
このようにして作成される帯電泳動粒子分散液内蔵細密シートにおいて、隔壁原料液および帯電泳動粒子分散液の供給量が一定であれば、真上から見ると図１に示すような細密シートが得られる。
【００３７】
また、帯電泳動粒子分散液の供給量を脈流あるいは間欠流に変化させることで、真上から見ると図２〜５のような帯電泳動粒子分散液内蔵細密シート中の帯電泳動粒子分散液が充填された内孔の断面の形状を変化させた細密シートを得ることができる。
【００３８】
供給量の制御は、それぞれの液の貯蔵タンクの液面の高さの制御、供給用ポンプのモーターの回転数の制御、ギヤボックスによるポンプの駆動部の回転数の制御、バルブの開閉または調節による流路の断面積の変更などの方法で行うことができる。
【００３９】
本発明で作成された帯電泳動粒子分散液内蔵細密シートは、２つ以上を結合してより面積の大きい帯電泳動粒子分散液内蔵細密シートにすることができる。帯電泳動粒子分散液内蔵細密シートを結合させる方法としては、単に並べるだけでよいが、その際に接着剤にて基材に固定してもよい。
【００４０】
カラー化の場合は、図６〜図９に示すように、複数の種類の第二のノズルから異なる色の帯電泳動粒子を含む帯電泳動粒子分散液を供給して作成した帯電泳動粒子分散液内蔵細密シートを使用して簡便にカラーの電気泳動表示パネルを作ることができるが、各列の第二のノズルは常に同じ色の帯電泳動粒子分散液を供給し、複数の単一色の列が繰り返し並ぶ構成の帯電泳動粒子分散液内蔵最密シートを使用してより簡易的なカラーの電気泳動表示パネルを作ることもできる。
【００４１】
カラー表示を行うには例えば、三色のうちのひとつの表示能をもつ帯電泳動粒子分散液内蔵細孔を三種類またはそれに黒を加えた四種類を繰り返し並べる必要がある。色の組合わせとしては、シアン、マゼンタ、イエローの組やレッド、グリーン、ブルーの組などの例が挙げられるがこれらに限定されない。ひとつの色の表示能をもつ帯電泳動粒子分散液内蔵細孔は隔壁が無色で帯電泳動粒子が特定の色に着色している。
【００４２】
カラー表示可能なシートを製造する場合において、第２のノズルが複数存在し一群をなし、その一群の周囲に第１のノズルを配置し、且つ帯電泳動粒子分散液の流量が間欠的である場合は、第２のノズルから供給する帯電泳動粒子分散液の色を切り替えることによって、シート中の帯電泳動粒子分散液内蔵細孔の各列に、それぞれ複数種の色を表示可能な帯電泳動粒子分散液を内蔵することができる。
【００４３】
具体的に、図６〜図１０を持って本発明の帯電泳動粒子分散液内蔵シートの作成過程の一例を説明する。図６は複数本の帯電泳動粒子液ノズルが１本の隔壁原料液ノズルの内側にある本発明による帯泳動粒子分散液内蔵シートの作成方法に用いる吐出装置の概念図であり、図７は、同概念図を具体的な部品によって組み立てた鳥瞰図である。ここで１は隔壁原料液タンクからの接続配管を示し、２は隔壁原料液吐出用ポンプ、３は隔壁原料液流量調節バルブ、４は隔壁原料液吐出ノズル、５は帯電泳動粒子分散液タンクからの接続配管、６は帯泳動粒子分散液吐出用ポンプ、７は帯電泳動粒子分散液流量調節用バルブ、８は帯電泳動粒子分散液吐出ノズルである。ここで３および７を一定に保つことで直管状の帯電泳動粒子分散液内蔵管からなるシート（図１）が、３および７を位相を逆にして脈動させることにより串団子状の帯電泳動粒子分散液内蔵管からなるシート（図２、図３）が、さらに７を開閉して帯泳動粒子分散液を断続的に吐出することにより帯泳動粒子分散液を含む小胞を１列に内蔵する帯電泳動粒子分散液内蔵シート（図４、図５）が作成できる。ただし、図６〜図９中の５、６、７、８の添え字ａ、ｂ、ｃ、は、それぞれ異なった色の帯電泳動粒子分散液が流れることを示す。
【００４４】
図８および図９は複数の隔壁原料液供給ノズルが帯泳動粒子分散液供給ノズルを取り囲む構成の例で隔壁原料液の流量を一定とし、９隔壁原料液分配器を装備した例を示している。本発明ではこれらのノズル群を列に並べることによって、シートを作成する。
【００４５】
図１０は本発明による、（１）帯電泳動粒子分散液を供給する第２のノズルが、隔壁原料液を供給する第１のノズルの内部にあってそれぞれ独立に隔壁原料液固化場へ供給すること、（２）前述のノズルから出た隔壁原料液を固化させ、帯電泳動粒子分散液内蔵シートを形成せしめること、（３）可塑性を保持している帯電泳動粒子分散液内蔵シートを引っ張って長さを増すとともに断面積を減少せしめることを連続した工程で行うことを特徴とする、帯電泳動粒子分散液内蔵細密シートの作成方法の全体を模式化した例であり、１２隔壁原料液固化場はこの例では液相であり隔壁原料液を反応硬化させている。隔壁原料液固化場に隣接した各々の二重ノズルの内側のノズル８から帯電泳動粒子分散液が、外側のノズル４から隔壁原料液が、隔壁原料液固化場内に供給され固化をする。十分な可塑性を有する状態で、回転速度差のある２個のリール１４で帯電泳動粒子分散液内蔵管を引っ張ることで断面積が小さくなり、しかる後に巻き取りリール１５に巻き取られる。１３の液槽は未反応成分洗浄槽を示す。
【００４６】
【発明の効果】
本発明により、管に電気泳動粒子分散液を充填することなく、電子表示素子用帯電泳動粒子分散液内蔵シートを簡便に作成する装置を提供できた。
【図面の簡単な説明】
【図１】図１は、本発明で作成される帯電泳動粒子分散液内蔵細密シートを真上から見た一例を表す。
【図２】図２は、本発明で作成される帯電泳動粒子分散液内蔵細密シートを真上から見た一例を表す（隣り合う管の形状変化が同位相の場合）。
【図３】図３は、本発明で作成される帯電泳動粒子分散液内蔵細密シートを真上から見た一例を表す（隣り合う管の形状変化が逆位相の場合）。
【図４】図４は、本発明で作成される帯電泳動粒子分散液内蔵細密シートを真上から見た一例を表す（隣り合う管の形状変化が同位相の場合）。
【図５】図５は、本発明で作成される帯電泳動粒子分散液内蔵細密シートを真上から見た一例を表す（隣り合う管の形状変化が逆位相の場合）。
【図６】図６は、本発明で使用される吐出装置の一例の概念図を表す。
【図７】図７は、図６の概念図の具体例を表す。
【図８】図８は、本発明で使用される吐出装置の一例の概念図を表す。
【図９】図９は、図８の概念図の具体例を表す。
【図１０】図１０は、吐出装置から出て可塑性を保持している帯電泳動粒子分散液内蔵シートを引っ張って長さを増すとともに断面積を減少せしめることを連続した工程で行うことを特徴とする、帯電泳動粒子分散液内蔵細密シートの作成方法の全体を模式化して表す。
【符号の説明】
１は隔壁原料液タンクからの接続配管、２は隔壁原料液吐出用ポンプ、３は隔壁原料液流量調節バルブ、４は隔壁原料液吐出ノズル、５は帯電泳動粒子分散液タンクからの接続配管、６は帯電泳動粒子分散液吐出用ポンプ、７は帯電泳動粒子分散液流量調節用バルブ、８は帯電泳動粒子分散液吐出ノズル、９は隔壁原料液分配器、１０は隔壁、１１は帯電泳動粒子分散液、１２は固化場、１３は未反応成分洗浄槽、１４は回転速度差のある２個のリール、１５は巻き取りリールである。ただし、５、６、７、８の添え字ａ、ｂ、ｃ、は、それぞれ異なった色の帯電泳動粒子分散液が流れることを示す。
【図１】
2004177901.tif 000003
【図２】
2004177901.tif 000004
【図３】
2004177901.tif 000005
【図４】
2004177901.tif 000006
【図５】
2004177901.tif 000007
【図６】
2004177901.tif 000008
【図７】
2004177901.tif 000009
【図８】
2004177901.tif 000010
【図９】
2004177901.tif 000011
【図１０】
2004177901.tif 000012